(57)【特許請求の範囲】
【請求項１】
バッテリの電極ポストに固定される固定部、バッテリケーブル先端のターミナルが装着されるポスト部材とを備え、前記固定部及び前記ポスト部材を含めて全体が導電材で形成され、前記ポスト部材は、硬い金属で円錐台形状に形成されており、下部に工具を嵌合するための締付工具嵌合部が形成され、バッテリアダプター本体に設けられたスタッドボルトに、該スタッドボルトの雄ねじに螺合可能な雌ねじによって着脱自在に取り付けられて外径の異なるポスト部材と交換可能であり、先端周縁に、該ポスト部材に装着された前記ターミナルを係止するために鍔状に径が大きくなった鍔部を設けたバッテリアダプター。
【発明の詳細な説明】
【発明の属する技術分野】
【０００１】
本発明はバッテリアダプターに係り、特に、バッテリの電極ポストの外径とバッテリケーブル先端のターミナルの内径が一致しない場合、それら電極ポストとターミナルとを接続するのに用いられるバッテリアダプターに関する。
【従来の技術】
【０００２】
自動車等に用いられるバッテリには、図８のように外径の小さい電極ポスト１を有するものと、図９のように外径の大きい電極ポスト２を有するものの２種類がある。一方、バッテリケーブル３先端のターミナルも、内径の小さいターミナル４と、内径の大きいターミナル５の２種類が用意されている。
【０００３】
ところで、近年、始動性向上のために、外径の大きい電極ポストを有するバッテリが多く使用されるようになっている。従来の自動車の多くには、外径の小さい電極ポストを有するバッテリが載せられており、このような自動車に外径の大きい電極ポストを有するバッテリを載せるには、バッテリケーブル先端のターミナルも内径の大きいものに切り替えなければならない。通常、バッテリケーブルとターミナルは圧着により一体化されており、ターミナルを内径の小さいものから大きいものに切り替えるために、従来では、バッテリケーブル全体を付け替えてしまうか、又は圧着されていたターミナルをバッテリケーブルから切り離し、内径の大きいターミナルを圧着し直すことが行われていた。
【発明が解決しようとする課題】
【０００４】
しかしながら、上記従来のように、バッテリケーブル全体を付け替えたり、内径の大きいターミナルを圧着し直したりしていると、その作業が煩雑であるとともに、作業に時間が掛かってコスト高となる欠点がある。
【０００５】
本発明の目的は、バッテリケーブルを付け替えたり、ターミナルを圧着し直したりすることなく、互いにサイズの異なる電極ポストとターミナルとを容易に接続することのできるバッテリアダプターを提供することにある。
【課題を解決するための手段】
【０００６】
上記目的を達成するために、本発明は、バッテリの電極ポストに固定される固定部、バッテリケーブル先端のターミナルが装着されるポスト部材とを備え、前記固定部及び前記ポスト部材を含めて全体が導電材で形成され、前記ポスト部材は、硬い金属で円錐台形状に形成されており、下部に工具を嵌合するための締付工具嵌合部が形成され、バッテリアダプター本体に設けられたスタッドボルトに、該スタッドボルトの雄ねじに螺合可能な雌ねじによって着脱自在に取り付けられて外径の異なるポスト部材と交換可能であり、先端周縁に、該ポスト部材に装着された前記ターミナルを係止するために鍔状に径が大きくなった鍔部を設けたことを特徴としている。
【０００７】
上記構成によれば、ターミナルの内径が電極ポストの外径に一致していなくとも、ターミナルの内径に外径が一致したポスト部材を選択して使用することにより、バッテリアダプターを介して電極ポストとターミナルとを容易に接続することができる。
【０００８】
さらに、円錐台形状に形成されたポスト部材の先端周縁に鍔部を設けておけば、ターミナルが鍔部によって係止されるので、ターミナルをポスト部材に密着させることができる。また、振動等によってターミナルがポスト部材から抜けてしまうのを防止することもできる。このとき、通常、バッテリの電極ポストは鉛等の柔らかい材料で形成され、ターミナルで挟持して締め付けたときに、電極ポストとターミナルとが密着するようになっている。しかし、鍔部を設けておけば、ターミナルをポスト部材に密着させることができるので、ポスト部材を鉛等の柔らかい材料にする必要がなく、硬い金属で形成することができる。
【発明の実施の形態】
【０００９】
以下、本発明の実施の形態を図面に従って説明する。
【００１０】
（実施の形態１）
図１は、本発明の実施の形態１によるバッテリアダプターを用いて、バッテリケーブルをバッテリの電極ポストに接続する様子を示した分解斜視図である。図１に示すように、バッテリアダプター本体１０は固定部１１とスタッドボルト１２を有する。固定部１１には円形穴１３が設けられ、この円形穴１３に、外径の大きい電極ポスト２が挿通される。円形穴１３は１カ所に切り込み１４が形成されており、固定部１１は切り込み１４より先端側が２つに分割されている。そして固定部１１には、図示してないが２つに分割されたそれぞれの部分に穴が形成され、それらの穴にねじ１５が挿通され、そのねじ１５にはナット１６が螺合されている。
【００１１】
スタッドボルト１２は固定部１１の一部に固定され、このスタッドボルト１２にはほぼ円錐台形状のポスト部材１７が取り付けられる。ポスト部材１７は電極ポスト２と同様に鉛で形成され、またポスト部材１７の外径は電極ポスト２の外径よりも小さくなっている。ポスト部材１７には、図２及び図３に示すように、その中心軸に沿って穴１７Ａが形成されている。穴１７Ａ内面には雌ねじ１７Ｂが刻まれており、この雌ねじ１７Ｂはスタッドボルト１２外面の雄ねじ１２Ａに螺合可能となっている。また、ポスト部材１７の下部には六角形をなした締付工具嵌合部１７Ｃが形成され、ポスト部材１７の穴１７Ａをスタッドボルト１２に合わせて、締付工具嵌合部１７Ｃをレンチ等を用いて回転させることにより、ポスト部材１７の雌ねじ１７Ｂとスタッドボルト１２の雄ねじ１２Ａとが螺合して、ポスト部材１７をスタッドボルト１２に容易に取り付けることができる。なお、固定部１１及びスタッドボルト１２は鉄等の導電材で形成されている。
【００１２】
バッテリケーブル３は従来のものと同じ構成であり、その先端には内径の小さいターミナル４が圧着により取り付けられている。また、ターミナル４には、ねじ４Ａと、ねじ４Ａに螺合したナット４Ｂが設けられいる。
【００１３】
上記構成のバッテリアダプターによれば、外径の大きい電極ポスト２に、内径の小さいターミナル４を有するバッテリケーブル３を接続する場合、予めターミナル４の内径に合致した外径を有するポスト部材１７をスタッドボルト１２に取り付けておく。そして、固定部１１先端のナット１６を緩め、電極ポスト２が穴１１に十分に挿通された状態となるまでバッテリアダプター本体１０をバッテリ側（図１では下側）に押し込んでから、ナット１６を締め付ける。これによって、バッテリアダプター本体１０が電極ポスト２に強固に固定される。
【００１４】
次に、ターミナル４のナット４Ｂを緩めて、ターミナル４にポスト部材１７を嵌合させてから、ナット４Ｂを締め付ける。これによって、バッテリケーブル３がバッテリアダプター本体１０に強固に固定される。
【００１５】
本実施の形態によれば、バッテリアダプターを介して、外径の大きい電極ポスト２に、内径の小さいターミナル４を有するバッテリケーブル３を容易に接続することが可能となる。
【００１６】
（実施の形態２）
図４は、本発明の実施の形態２によるバッテリアダプターを用いて、バッテリケーブルをバッテリの電極ポストに接続する様子を示した分解斜視図である。また図５は、上記バッテリアダプターを用いて、バッテリケーブルをバッテリの電極ポストに接続した様子を示した斜視図である。本実施の形態はポスト部材２０に特徴がある。すなわち、円錐台形状をなしたポスト部材２０は上端部に鍔部２０Ｃが設けられ、かつ全体が鉄等の硬い金属で形成されている。なお、ポスト部材２０には、図６及び図７に示すように、その中心軸に沿って穴２０Ａが形成され、穴２０Ａ内面に刻まれた雌ねじ２０Ｂはスタッドボルト１２外面の雄ねじ１２Ａに螺合可能となっている。
【００１７】
実施の形態１ではポスト部材は鉛で形成され、ターミナルで挟持して締め付けたときに、ターミナルがポスト部材に食い込むことにより、ターミナルとポストとの密着性が確保されるようになっていた。しかし、ポスト部材を鉛等の柔らかい金属で形成すると、クリープ等によってポスト部材とスタッドボルトとの間に緩みが生じる恐れがある。
【００１８】
本実施の形態では、ポスト部材２０の上端部に鍔部２０Ｃを設けることによって、ターミナル４をバッテリアダプター本体１０側に押しつけ、ターミナル４とポスト部材２０との密着性を確保している。このため本実施の形態によれば、ポスト部材２０を鉄等の硬い金属で形成することが可能となり、クリープ等によってポスト部材２０とスタッドボルト１２との間に緩みが生じる恐れはない。
【００１９】
なお、実施の形態１・２では、外径の大きい電極ポスト２に内径の小さいターミナル４を有するバッテリケーブル３を接続する場合について説明してきたが、本発明のバッテリアダプターは、外径の小さい電極ポスト１に内径の小さいターミナル５を有するバッテリケーブル３を接続する場合にも適用できる。また、ポスト部材１７または２０はスタッドボルト１２にねじによって取り付けられているので、外径が任意の大きさのポスト部材に取り替えることが可能である。
【発明の効果】
【００２０】
以上説明したように、本発明によれば、ターミナルの内径が電極ポストの外径に一致していなくとも、ターミナルの内径に外径が一致したポスト部材を選択して使用することにより、電極ポストとターミナルとを容易に接続することができる。その結果、バッテリケーブルを全て付け替えたり、ターミナルを圧着し直したりする必要がなくなり、作業の簡素化とコスト低減を図ることができる。
【図面の簡単な説明】
【図１】本発明の実施の形態１によるバッテリアダプターを用いて、バッテリケーブルをバッテリの電極ポストに接続する様子を示した分解斜視図である。
【図２】図１におけるポスト部材の斜視図である。
【図３】図２のＡ−Ａ線に沿った断面図である。
【図４】本発明の実施の形態２によるバッテリアダプターを用いて、バッテリケーブルをバッテリの電極ポストに接続する様子を示した分解斜視図である。
【図５】図４のバッテリアダプターを用いて、バッテリケーブルをバッテリの電極ポストに接続した様子を示した斜視図である。
【図６】図４におけるポスト部材の斜視図である。
【図７】図６のＢ−Ｂ線に沿った断面図である。
【図８】外径の小さい電極ポストに内径の小さいターミナルを接続する様子を示した斜視図である。
【図９】外径の大きい電極ポストに内径の大きいターミナルを接続する様子を示した斜視図である。
【符号の説明】
１  外径の小さい電極ポスト
２  外径の大きい電極ポスト
３  バッテリケーブル
４  内径の小さいターミナル
５  内径の大きいターミナル
１０  バッテリアダプター本体
１１  固定部
１２  スタッドボルト
１７  ポスト部材
１７Ｃ  締付工具嵌合部
２０  ポスト部材
２０Ｃ  鍔部
【図１】
0003574916.tif 000002
【図２】
0003574916.tif 000003
【図３】
0003574916.tif 000004
【図４】
0003574916.tif 000005
【図５】
0003574916.tif 000006
【図６】
0003574916.tif 000007
【図７】
0003574916.tif 000008
【図８】
0003574916.tif 000009
【図９】
0003574916.tif 000010